(57)【要約】【課題】本発明の目的は、ノック棒を押すことでペン先を出没させ、クリップでペン先の出状態をを保持する塗布具において、クリップに布、紙等を挟み込んでも、それらが引っ掛かることなく、スムーズに着脱出来るようし、且つ、布、紙等の破損も防止することができるセーフティー機構を有する塗布具を提供することである。【解決手段】クリップの係止部と中駒の係止突起係合の為に本体に開けられた穴の形状を、５角形以上の多角形や円弧上形状等にすることにより、穴と直角方向から本体を見たときの穴の縁形状を滑らかとなり、穴の塗布具をポケットや紙等に挿したときに、布や紙が穴の壁面に引っ掛かることがない。  【選択図】図１
2005193607.tif 000002
【特許請求の範囲】
【請求項１】
軸筒の後端側には外部に突出したノック棒を持ち、ノック棒を押し込むノック動作によって内蔵されたレフィールを出没させ、クリップに設けられた係止部と軸筒内をレフィールと連動してスライドする中駒に設けられた係止部が係止することで、ペン先が出た状態を保持し、クリップを服のポケット等に挿した場合にはクリップと中駒との係合が外れ、レフィールを常時後方へ押圧するスプリングの付勢力でペン先を収納するセーフティー機構を有する塗布具において、中駒の係止突起とクリップ係止部が係止するために設けられた本体穴を穴と直角方向から見たときの少なくとも軸筒の後端側の穴の縁壁形状が、斜面又は曲線形状をしていることを特徴とする塗布具。
【請求項２】
前記軸筒の後端側の穴の縁壁が軸筒外形方向に広がっている請求項１記載の塗布具。
【請求項３】
前記穴の軸筒の後端側形状が、円弧形状又は多角形状である請求項１又は２記載の塗布具。
【請求項４】
前記中駒の係止突起とクリップ係止部が係止するために設けられた本体穴を穴と直角方向から見たとき軸筒の先端側の穴の縁壁形状が、斜面又は曲線形状をしている請求項１乃至３記載の塗布具。
【発明の詳細な説明】
【技術分野】
【０００１】
本発明は、インキ又は塗布液の塗布具に関し、さらに詳しくは、筆記具用インキや、修正液、液状化化粧料などの塗布液を紙面などの被塗布面に塗布するための塗布具に関する。なお、本明細書で規定する「塗布具」とは、修正液を塗布するための修正ペン、インキを被塗布面に筆記する為のボールペン、マーキングペンなどの筆記具、液状化化粧料などを塗布するように充填されている化粧具などを言う。
【背景技術】
【０００２】
従来、軸筒の後端側には突出したノック棒を持ち、ノック棒を押し込むノック動作によって内蔵されたレフィールを出没させ、クリップに設けられた係止部と軸筒内をレフィールと連動してスライドする中駒に設けられた係止部が係止することで、クリップを服のポケット等に挿した場合にはクリップと中駒との係合が外れ、レフィールを常時後方へ押圧するスプリングの付勢力ペン先を収納する所謂セーフティー機構を有する塗布具が市販されている。また、出願人は、セーフティー機構を有する塗布具に関する新たな機構を提案している（特許文献１参照）。
【０００３】
【特許文献１】特開２００３−２６０８９４号公報
【０００４】
しかしこれらの塗布具は、クリップの係止部と中駒の係止突起係合のために本体に開けられた穴が４角形状で、その後端側壁形状が軸方向に対しほぼ直角になっており、クリップに布、紙等を挟んだ場合、その端面が後端穴壁に衝突し、挟み難くなったり、また紙等の場合には破れたりする場合があった。
【０００５】
また、先端側壁も後端側壁と同様であるため、ポケット等から取り出す際に、布のおり返しが壁に引っ掛かり、取り出し難くなったり、場合によっては破れたりする場合があった。
【発明の開示】
【発明が解決しようとする課題】
【０００６】
本発明の目的は、上記従来の課題を解決しようとするものであり、クリップに布、紙等を挟み込んでも、それらが引っ掛かることなく、スムーズに着脱出来るようし、且つ、布、紙等の破損も防止することができるセーフティー機構を有する塗布具を提供することである。
【課題を解決するための手段】
【０００７】
本発明者は、上記従来の課題を解決するために鋭意研究を重ねた結果、クリップの係止部と中駒の係止突起係合のために本体に開けられた穴の形状を、従来の端に４角形状であったものを、５角形以上の多角形や円弧上形状等にする、または穴の壁面に傾斜を設けることにより、穴と直角方向から本体を見たときの穴の縁形状を滑らかにし、穴の塗布具をポケットや紙等に挿したときに、布や紙が穴の壁面に引っ掛かることなくセット出来ることを見出した。
【０００８】
具体的には、軸筒の後端側には外部に突出したノック棒を持ち、ノック棒を押し込むノック動作によって内蔵されたレフィールを出没させ、クリップに設けられた係止部と軸筒内をレフィールと連動してスライドする中駒に設けられた係止部が係止することで、ペン先が出た状態を保持し、クリップを服のポケット等に挿した場合にはクリップと中駒との係合が外れ、レフィールを常時後方へ押圧するスプリングの付勢力でペン先を収納するセーフティー機構を有する塗布具において、中駒の係止突起とクリップ係止部が係止するために設けられた本体穴を穴と直角方向から見たときの少なくとも軸筒の後端側の穴の縁壁形状を、斜面又は曲線形状とすることである。さらに具体的には、前記軸筒の後端側の穴の縁壁を軸筒外形方向に広げること、或いは前記穴の軸筒の後端側形状が、円弧形状又は多角形状とすることである。
【０００９】
また、前記中駒の係止突起とクリップ係止部が係止するために設けられた本体穴を穴と直角方向から見たとき軸筒の前端側の穴の縁壁形状を、斜面又は曲線形状とすることで、一旦ポケットに差した塗布具を抜く場合に、ポケットに折り返しがあり、当該折り返しが軸筒の先端側の穴の縁壁に引っ掛かることを防止できる効果を併せ持つことができる。
【発明の効果】
【００１０】
本発明によれば、クリップと中駒の係合によってペン先を保持する塗布具において、クリップに布、紙等を挟み込む際の本体との引っ掛かりを無くし、スムーズに挟み込むことでき、クリップ使用感の良好で、挟み込むものの破損防止可能な塗布具を提供することが出来る。
【発明を実施するための最良の形態】
【００１１】
以下に本発明の具体的実施例について説明する。図１は、本発明の第１実施例の筆記具の斜視図である。該筆記具の軸筒１の後端側には外部に突出するノック棒２があり、ノック棒２を押し込むことによって内蔵されたレフィール３を出没させ、クリップ４に設けられた係止部５と軸筒１内をレフィール３と連動してスライドする中駒６に設けられた係止突起７が係止することで、ペン先を出した状態を維持し、クリップ４を服のポケット等に挿した場合にはクリップ４と中駒６との係合が外れ、レフィール３を常時後方へ押圧するスプリング８の付勢力でペン先を収納する所謂セーフティー機構を有している。その軸筒１には、中駒６の係合突起７とクリップの係止部５を係合させるための穴９が開いており、その穴９の軸筒１の後端側形状は、図２に示すように、穴９を軸筒１と直角方向真上から見たときに略５角形となっている。この為、この塗布具を図３のように穴９と直角方向から見ると、穴９の後端側縁９−ａは滑らかな曲線状となる。これにより、先端側から布や紙を差し込んだ時に、布や紙は穴の後端側縁９−ａに沿って移動し、穴の後端側壁に当ることなく移動でき、布や紙が本体軸に引っ掛かることは無い。
【００１２】
図４は、本発明の第２の実施例で、穴１０を本体と直角方向真上から見たときに略６角形となっている。このようにすることで、穴１０の先端側も、後端側と同様に塗布具を穴１０と直角方向から見ると、図５に示すように穴１０の先端側縁１０−ｂも滑らかな曲線状となる。これにより、ポケットのように折返しのある場合でも、折返し部が穴１０の先端側側壁に引っ掛かることが無く、スムーズに外すことが出来る。
【００１３】
さらに他の実施例について、説明を行うと、図６は本発明の第３の実施例であり、穴の形が略長円形となっているものである。この例においても塗布具を図７のように穴１１と直角方向から見ると、穴１１の後端側縁１１−ａは滑らかな曲線状となり実施例１と同様の効果を得ることが出来る。また、先端側縁１１−ｂも滑らかな曲線状となり、実施例２と同様にポケットのように折返しのある場合でも、折返し部が穴１１の先端側側壁に引っ掛かることが無く、スムーズに外すことが出来る効果がある。
【００１４】
尚、本体軸の穴の形状は、上記実施例に示した形状に限定されるものではなく、図３のように穴９に直角方向から見た時に滑らかな形状になればよく、どのような形状でも構わない。例えば、図８及び図９に示す実施例４のごとく、四角形の穴１２の後端側縁１２−ａを外に広がる傾斜状であってもよい。
【図面の簡単な説明】
【００１５】
【図１】本発明の第１実施例を示す斜視図ぜある。
【図２】本発明の第１実施例の穴を真上から見たときの図である。
【図３】本発明の第１実施例を穴の直角方向から見たときの図である。
【図４】本発明の第２実施例の穴を真上から見たときの図である。
【図５】本発明の第２実施例を穴の直角方向から見たときの図である。
【図６】本発明の第３実施例の穴を真上から見たときの図である。
【図７】本発明の第３実施例を穴の直角方向から見たときの図である。
【図８】本発明の第４実施例の穴を真上から見たときの図である。
【図９】本発明の第４実施例を穴の直角方向から見たときの図である。
【符号の説明】
【００１６】
１              軸筒
２              ノック棒
３              レフィール
４              クリップ
５              係止部
６              中駒
７              係合突起スプリング８
９、１０、１１、１２      穴
９−ａ、１０−ａ、１１−ａ、１２−ａ      後端側縁
１０−ｂ、１１−ｂ      先端側縁
【図１】
2005193607.tif 000003
【図２】
2005193607.tif 000004
【図３】
2005193607.tif 000005
【図４】
2005193607.tif 000006
【図５】
2005193607.tif 000007
【図６】
2005193607.tif 000008
【図７】
2005193607.tif 000009
【図８】
2005193607.tif 000010
【図９】
2005193607.tif 000011